(57)【特許請求の範囲】
【請求項１】
操作者のＩＤが記憶された非接触ＩＤ媒体と、該非接触ＩＤ媒体中のＩＤを読み取るＩＤ読取部を有し認証機能を具備する警備用の操作端末とからなるＩＤ登録管理機能を有する警備システムにおいて、
該非接触ＩＤ媒体が、
汎用の体系を有する汎用ＩＤが記憶された汎用非接触ＩＤ媒体と、
該操作端末専用の体系を有する専用ＩＤが記憶された専用非接触ＩＤ媒体とからなり、
該操作端末が、
該専用非接触ＩＤ媒体の専用ＩＤ及び該汎用非接触ＩＤ媒体の汎用ＩＤを記憶する記憶手段と、
該専用ＩＤと該汎用ＩＤとを関連付ける汎用ＩＤ関連付手段とからなり、
該専用ＩＤ及び該汎用ＩＤを入力すると共に、該専用ＩＤと該汎用ＩＤとの関連付けのための情報を編集して編集データを作成し、該操作端末に送る汎用ＩＤ情報入力編集手段を有する情報端末を備え、
該操作端末は、該情報端末から該編集データを受け取り、該専用ＩＤ及び該汎用ＩＤを、該記憶手段に記憶した後、
該操作端末の該ＩＤ読取部に該専用非接触ＩＤ媒体がかざされて、該ＩＤ読取部が該専用非接触ＩＤ媒体の専用ＩＤを読み取り、
該操作端末の該汎用ＩＤ関連付手段が、
該ＩＤ読取部にかざされた該専用非接触ＩＤ媒体が有する該専用ＩＤに対して、該編集データにより関連付けられた該汎用ＩＤが存在すると判断した場合、該専用ＩＤと該汎用ＩＤとの関連付けを有効化し、これ以降、関連付けが有効化された該汎用ＩＤを有する該汎用非接触ＩＤ媒体を、該操作端末にかざすと、該操作者が認証されることを特徴とする警備システム。
【請求項２】
前記専用非接触ＩＤ媒体が、１つで複数の前記専用ＩＤを有し、
前記編集データが、１つの該専用非接触ＩＤ媒体の任意の１つの該専用ＩＤと前記汎用ＩＤとを関連付けるための情報であり、
前記操作端末の前記汎用ＩＤ関連付手段が、該編集データにより、該１つの専用ＩＤと該汎用ＩＤとの関連付けを有効化することを特徴とする請求項１記載の警備システム。
【請求項３】
前記操作端末の前記汎用ＩＤ関連付手段が、前記専用ＩＤと前記汎用ＩＤとの関連付けが有効化になった後は、関連付けられた該専用ＩＤでは、前記操作者の認証を行うことができないことを特徴とする請求項１又は請求項２記載のの警備システム。
【請求項４】
操作者のＩＤが記憶された非接触ＩＤ媒体と、該非接触ＩＤ媒体中のＩＤを読み取るＩＤ読取部を有し認証機能を具備する警備用の操作端末とからなるＩＤ登録管理機能を有する警備システムにおけるＩＤ登録管理方法において、
該非接触ＩＤ媒体が、汎用の体系を有する汎用ＩＤが記憶された汎用非接触ＩＤ媒体と、該操作端末専用の体系を有する専用ＩＤが記憶された専用非接触ＩＤ媒体とからなり、
情報端末に、該専用ＩＤ及び該汎用ＩＤを入力すると共に、該情報端末で、該専用ＩＤと該汎用ＩＤとの関連付けのための情報を編集して編集データを作成し、
該情報端末が、該編集データを該操作端末に送り、
該専用非接触ＩＤ媒体の専用ＩＤ及び該汎用非接触ＩＤ媒体の汎用ＩＤを記憶する記憶手段とを有する該操作端末が、
該情報端末から該編集データを受け取り、該専用ＩＤ及び該汎用ＩＤを、該記憶手段に記憶した後、
該操作端末の該ＩＤ読取部に該専用非接触ＩＤ媒体がかざされて、該ＩＤ読取部が該専用非接触ＩＤ媒体の専用ＩＤを読み取り、
該ＩＤ読取部にかざされた該専用非接触ＩＤ媒体が有する該専用ＩＤに対して、該編集データにより関連付けられた該汎用ＩＤが存在すると判断された場合、該専用ＩＤと該汎用ＩＤとの関連付けを有効化し、これ以降、関連付けが有効化された該汎用ＩＤを有する該汎用非接触ＩＤ媒体を、該操作端末にかざすと、該操作者が認証されることを特徴とする警備システムにおけるＩＤ登録管理方法。
【請求項５】
前記専用非接触ＩＤ媒体が、１つで複数の前記専用ＩＤを有し、
前記編集データが、１つの該専用非接触ＩＤ媒体の任意の１つの該専用ＩＤと前記汎用ＩＤとを関連付けるための情報であり、
前記操作端末が、該編集データにより、該１つの専用ＩＤと該汎用ＩＤとの関連付けを有効化することを特徴とする請求項４記載の警備システムにおけるＩＤ登録管理方法。
【請求項６】
前記専用ＩＤと前記汎用ＩＤとの関連付けが有効化になった後は、関連付けられた該専用ＩＤでは、前記操作者の認証を行うことができないことを特徴とする請求項４又は請求項５記載の警備システムにおけるＩＤ登録管理方法。
【発明の詳細な説明】
【技術分野】
【０００１】
本発明は、操作者のＩＤが記憶された非接触ＩＤ媒体を用いた認証機能を具備する操作端末からなるＩＤ登録管理機能を有する警備システム及び警備システムにおけるＩＤ登録管理方法に関する。
【背景技術】
【０００２】
従来より、一般の家庭や店舗、工場等の警備対象施設側に、その警備対象施設の状況を警備するセンサを設け、インターネット回線等の電気通信回線を用いて、その警備情報を警備監視側の監視センタに送る警備システムが運用されている。警備対象施設側には、警備の開始や解除を設定する操作端末が設けられている。
【０００３】
従来の警備システムの操作端末では、例えば特許文献１に示されるように、操作者のＩＤが記憶された非接触ＩＤ媒体であるＩＣタグを用いて、利用者を識別し、認証された場合に警備の開始や解除を設定する仕組みが提案されている。
【０００４】
また、非接触ＩＤ媒体としては、ＩＣタグやＩＣカード等があり、非接触ＩＤ媒体は操作端末毎の専用の体系を有する専用ＩＤが記憶された専用非接触ＩＤ媒体と、警備システムに限らず他のシステムでも利用可能な汎用の体系を有する汎用ＩＤが記憶された汎用非接触ＩＤ媒体とがある。一般的に、汎用非接触ＩＤ媒体と専用非接触ＩＤ媒体のＩＤは、桁数が異なっている。一方、従来の警備システムの操作端末は、もっぱら専用非接触ＩＤ媒体により操作するように構成されている。
【０００５】
従来の警備システムの操作端末は、汎用非接触ＩＤ媒体の汎用ＩＤの桁数が、専用非接触ＩＤ媒体の専用ＩＤの桁数に収まらないことから、汎用非接触ＩＤ媒体を使用したい場合、操作端末で取り決められた専用ＩＤの体系を、汎用ＩＤの体系に変更する必要がある。しかしながら、操作端末の専用ＩＤの体系を汎用ＩＤの体系に変更すると、単に操作端末の改修に留まらず、警備情報を受け取る監視センタ側の改修まで必要になる場合もあり、警備システム全体として煩雑な改修が必要となってしまう。
【０００６】
この警備システム全体としての改修を、操作端末の改修のみで対応する方法としては、専用非接触ＩＤ媒体の専用ＩＤを操作端末に入力して登録し、操作端末に専用ＩＤを登録した専用非接触ＩＤ媒体をかざす。次に、操作端末に汎用非接触ＩＤ媒体をかざして、かざした汎用非接触ＩＤ媒体の汎用ＩＤと専用非接触ＩＤ媒体の専用ＩＤとを関連付け、その汎用非接触ＩＤ媒体が用いられた場合に、関連付けられた専用ＩＤにより、操作が行われるようにすればよい。
【０００７】
しかしながら、汎用非接触ＩＤ媒体の汎用ＩＤと専用非接触ＩＤ媒体の専用ＩＤとを１対１で関連付ける場合、汎用非接触ＩＤ媒体の枚数分の専用非接触ＩＤ媒体が必要になってしまい、専用非接触ＩＤ媒体分のコストがアップしてしまう。この対策として、特許文献２に示されるような、操作端末に、専用ＩＤが複数記憶された専用非接触ＩＤ媒体の専用ＩＤを登録し、汎用ＩＤが１つ記憶された汎用非接触ＩＤ媒体の汎用ＩＤと選択された専用ＩＤとを関連付ける方法が提案されている。
【０００８】
具体的には、操作者が、操作端末に、ＩＤ読取部にかざされた操作端末専用の体系を有する専用ＩＤが複数記憶された専用非接触ＩＤ媒体の専用ＩＤを登録し、操作端末が、登録された専用ＩＤを有する専用非接触ＩＤ媒体を認証し、認証された専用非接触ＩＤ媒体の専用ＩＤのいずれを用いるかを操作者が選択し、ＩＤ読取部にかざされた汎用の体系を有する汎用ＩＤが１つ記憶された汎用非接触ＩＤ媒体の汎用ＩＤと選択された専用ＩＤとを関連付けする。
【先行技術文献】
【特許文献】
【０００９】
【特許文献１】特開２００６−２８５６９８号公報
【特許文献２】特開２０１１−９０５８８号公報
【発明の概要】
【発明が解決しようとする課題】
【００１０】
しかしながら、特許文献２のような従来の警備システムでは、操作者が、専用ＩＤや汎用ＩＤを、操作端末に入力する必要があり、また、操作端末のある現場での操作が煩雑であるといった問題がある。
【００１１】
本発明は、このような事情に鑑みてなされたもので、操作端末での操作を減らし、操作者による認証のための準備作業が軽減される警備システム及び警備システムにおけるＩＤ登録管理方法を提供することにある。
【課題を解決するための手段】
【００１２】
請求項１記載の警備システムは、非接触ＩＤ媒体が、汎用の体系を有する汎用ＩＤが記憶された汎用非接触ＩＤ媒体と、操作端末専用の体系を有する専用ＩＤが記憶された専用非接触ＩＤ媒体とからなり、操作端末が、専用非接触ＩＤ媒体の専用ＩＤ及び汎用非接触ＩＤ媒体の汎用ＩＤを記憶する記憶手段と、専用ＩＤと汎用ＩＤとを関連付ける汎用ＩＤ関連付手段とからなり、専用ＩＤ及び汎用ＩＤを入力すると共に、専用ＩＤと汎用ＩＤとの関連付けのための情報を編集して編集データを作成し、操作端末に送る汎用ＩＤ情報入力編集手段を有する情報端末を備え、操作端末は、情報端末から編集データを受け取り、専用ＩＤ及び汎用ＩＤを、記憶手段に記憶した後、操作端末のＩＤ読取部に専用非接触ＩＤ媒体がかざされて、ＩＤ読取部が専用非接触ＩＤ媒体の専用ＩＤを読み取り、操作端末の汎用ＩＤ関連付手段が、ＩＤ読取部にかざされた専用非接触ＩＤ媒体が有する専用ＩＤに対して、編集データにより関連付けられた汎用ＩＤが存在すると判断した場合、専用ＩＤと汎用ＩＤとの関連付けを有効化し、これ以降、関連付けが有効化された汎用ＩＤを有する汎用非接触ＩＤ媒体を、操作端末にかざすと、操作者が認証されることを特徴とする。
【００１３】
請求項２記載の警備システムは、専用非接触ＩＤ媒体が、１つで複数の専用ＩＤを有し、編集データが、１つの専用非接触ＩＤ媒体の任意の１つの専用ＩＤと汎用ＩＤとを関連付けるための情報であり、操作端末の汎用ＩＤ関連付手段が、編集データにより、１つの専用ＩＤと汎用ＩＤとの関連付けを有効化することを特徴とする。
【００１４】
請求項３記載の警備システムは、操作端末の汎用ＩＤ関連付手段が、専用ＩＤと汎用ＩＤとの関連付けが有効化になった後は、関連付けられた専用ＩＤでは、操作者の認証を行うことができないことを特徴とする。
【００１５】
請求項４記載の警備システムにおけるＩＤ登録管理方法は、非接触ＩＤ媒体が、汎用の体系を有する汎用ＩＤが記憶された汎用非接触ＩＤ媒体と、操作端末専用の体系を有する専用ＩＤが記憶された専用非接触ＩＤ媒体とからなり、情報端末に、専用ＩＤ及び汎用ＩＤを入力すると共に、情報端末で、専用ＩＤと汎用ＩＤとの関連付けのための情報を編集して編集データを作成し、情報端末が、編集データを操作端末に送り、専用非接触ＩＤ媒体の専用ＩＤ及び汎用非接触ＩＤ媒体の汎用ＩＤを記憶する記憶手段とを有する操作端末が、情報端末から編集データを受け取り、専用ＩＤ及び汎用ＩＤを、記憶手段に記憶した後、操作端末のＩＤ読取部に専用非接触ＩＤ媒体がかざされて、ＩＤ読取部が専用非接触ＩＤ媒体の専用ＩＤを読み取り、ＩＤ読取部にかざされた専用非接触ＩＤ媒体が有する専用ＩＤに対して、編集データにより関連付けられた汎用ＩＤが存在すると判断された場合、専用ＩＤと汎用ＩＤとの関連付けを有効化し、これ以降、関連付けが有効化された汎用ＩＤを有する汎用非接触ＩＤ媒体を、操作端末にかざすと、操作者が認証されることを特徴とする。
【００１６】
請求項５記載の警備システムにおけるＩＤ登録管理方法は、専用非接触ＩＤ媒体が、１つで複数の専用ＩＤを有し、編集データが、１つの専用非接触ＩＤ媒体の任意の１つの専用ＩＤと汎用ＩＤとを関連付けるための情報であり、操作端末が、編集データにより、１つの専用ＩＤと汎用ＩＤとの関連付けを有効化することを特徴とする。
【００１７】
請求項６記載の警備システムにおけるＩＤ登録管理方法は、専用ＩＤと汎用ＩＤとの関連付けが有効化になった後は、関連付けられた専用ＩＤでは、操作者の認証を行うことができないことを特徴とする。
【発明の効果】
【００１８】
本願の発明によれば、操作者の操作は、操作端末のＩＤ読取部に専用非接触ＩＤ媒体をかざすのみでよく、操作端末での操作を減らし、操作者による認証のための準備作業が軽減される。
【図面の簡単な説明】
【００１９】
【図１】本発明に係る警備システムの一例を示す構成図である。
【図２】同警備システムで用いられる操作端末の一例を示す構成図である。
【図３】同警備システムの使用方法を示す説明図である。
【図４】同警備システムの使用方法を示す説明図である。
【発明を実施するための形態】
【００２０】
以下、本発明の形態について図面を参照しながら具体的に説明する。本発明の形態における警備システム１は、一般の家庭や店舗、工場等の警備対象施設側に、その警備対象施設の状況を警備するセンサを設け、インターネット回線等の電気通信回線を用いて、その警備情報を警備対象施設側の操作端末１０から、警備監視側の監視センタ２０に送るものである。図１は、本発明に係る警備システムの一例を示す構成図である。図２は、同警備システムで用いられる操作端末の一例を示す構成図である。図３及び図４は、同警備システムの使用方法を示す説明図である。
【００２１】
図において、警備システム１は、警備対象施設側に設けられた操作端末１０及び操作端末１０から電気通信回線を介して警備情報が送られる監視センタ２０とから構成されている。そして、操作端末１０は、操作者が警戒の開始又は警戒の停止を設定するもので、後述する汎用カード４を操作端末にかざすことにより、その開始又は停止を設定する。また、操作端末１０には、図示しない、センサ等の警備状況を把握するための機器が接続され、警戒状態で警備情報を表示したり、監視センタ２０に通報する機能を有している。さらに、本実施の形態の操作端末１０は、操作端末１０の動作をつかさどるＣＰＵ１２やメモリ１４や操作部１６の他に、非接触で認証のためのＩＤを読み取るためのＩＤ読取部１８を備えている。
【００２２】
ＩＤ読取部１８で読み取り可能な媒体としては、汎用非接触ＩＤ媒体である汎用カード４や専用非接触ＩＤ媒体である専用カード６である。汎用カード４は、本実施の形態の操作端末１０に限らず、ＩＤにより認証を行う各種の機器で汎用的に用いられているもので、汎用の体系の汎用ＩＤを記憶している。また、専用カード６は、操作端末１０専用の体系を有する専用ＩＤを記憶している。ここで、通常の専用カード６は、１枚のカードで１つの専用ＩＤを持つが、１枚の専用カード６に複数の専用ＩＤが記録可能なものであってもよい。尚、本実施の形態では、汎用非接触ＩＤ媒体や専用非接触ＩＤ媒体としてカード型のもので説明するが、カード型に限られるものではなく、ＩＣタグや携帯電話等のカード型ではないものであってもよい。
【００２３】
次に、本実施の形態における警備システム１の動作を説明する。図３に示す編集データＦを、情報端末８で入力及び編集して作成をする。ここで、情報端末８は、電子計算機（コンピュータ）、タブレット端末やスマートホンのような携帯情報端末ＰＤＡ（Personal Digital Assistant）等、電子データを入力及び編集し、電子データを作成可能な機器で、その形態によって制限されるものではない。
【００２４】
また、編集データＦは、少なくとも１つづつの専用ＩＤ及び汎用ＩＤのテーブルから成り、専用ＩＤと汎用ＩＤとの関連付けのための情報を編集して含んでいる。図３の例の編集データでは、編集データＦの専用ＩＤが専用ＩＤ１〜専用ＩＤＸＸＸまでの複数個が入力され、また、汎用ＩＤが汎用ＩＤ１〜汎用ＩＤＸＸＸまでの複数個が入力されている（ここで、ＸＸＸは、１から始める任意の数を示している）。また、図３の編集データＦでは、例えば、専用ＩＤ１と汎用ＩＤ１とを関係付けるための情報も含んでいる。
【００２５】
次に、操作端末１０に、情報端末８の編集データＦを転送する。情報端末８から操作端末１０への編集データＦの転送は、それぞれを接続（有線、無線等の直接接続の他、電気通信回線等を使用し間接的に接続することも可能である）して行う方法や、ＵＳＢメモリ等の記録媒体を介して行うことも可能である。尚、情報端末８で、専用ＩＤ及び汎用ＩＤを入力すると共に、専用ＩＤと汎用ＩＤとの関連付けのための情報を編集して編集データＦを作成し、操作端末１０に送る機能は、情報端末８のソフトウェア又は及びハードウェアで構成される汎用ＩＤ情報入力編集手段で、実現される。
【００２６】
情報端末８から編集データＦを受け取った操作端末１０は、編集データＦの専用ＩＤと汎用ＩＤのデータを記憶手段であるメモリ１４に記憶する。この時、専用ＩＤと汎用ＩＤとの関連付けのための情報も、メモリ１４に記憶される。尚、この段階では、図３に示すように、例えば、専用ＩＤ１と汎用ＩＤ１との間は、データ上は形式的に関連付けされた情報があるものの、仮登録にすぎず、汎用ＩＤ１が記憶された汎用カード４を、操作端末１０にかざしても、認証を行うことはできない。
【００２７】
この状態で、操作者が、例えば、専用ＩＤ１が記憶された操作端末１０のＩＤ読取部１８に専用非接触ＩＤ媒体である専用カード６をかざす。すると、操作端末１０のＩＤ読取部１８が専用カード６の専用ＩＤ１を読み取る。そして、操作端末１０では、ＩＤ読取部１８にかざされた専用カード６が、編集データＦにより関連付けられた汎用ＩＤを有している場合、専用ＩＤと汎用ＩＤとの関連付け（この例の場合専用ＩＤ１と汎用ＩＤ１との関連付け）を有効化し（本登録）、これ以降、関連付けが有効化された汎用ＩＤを有する汎用カード４を、操作端末１０にかざすと、操作者が認証される。
【００２８】
尚、情報端末８から編集データＦを受け取り、専用ＩＤ及び汎用ＩＤを、記憶手段であるメモリ１４に記憶した後、ＩＤ読取部１８に専用非接触ＩＤ媒体である専用カード６がかざされて、ＩＤ読取部１８が専用カード６の専用ＩＤを読み取り、ＩＤ読取部１８にかざされた専用カード６が、編集データＦにより関連付けられた汎用ＩＤを有している場合、専用ＩＤと汎用ＩＤとの関連付けを有効化し、これ以降、関連付けが有効化された汎用ＩＤを有する汎用カード４を、操作端末１０にかざすと、操作者が認証されるという操作端末１０の機能は、ソフトウェア又は及びハードウェアで構成される汎用ＩＤ関連付手段で、実現される。
【００２９】
以上のような構成と動作による警備システムによれば、操作者の操作は、操作端末１０のＩＤ読取部１８に専用非接触ＩＤ媒体である専用カード６をかざすのみでよく、操作端末１０での操作を減らし、操作者による認証のための準備作業が軽減される。
【００３０】
尚、専用非接触ＩＤ媒体である専用カード６が、１つで複数の専用ＩＤを有し、編集データＦが、１つの専用カード６の任意の１つの専用ＩＤと汎用ＩＤとを関連付けるための情報になっており、操作端末１０が、編集データＦにより、１つの専用ＩＤと汎用ＩＤとの関連付けを有効化するようにすることも可能である。このように、１つの専用カード６の専用ＩＤの数を制限しないことで、専用カード６を１枚用意すれば複数の汎用カード４に適応可能で、コストや手間を抑えることができる。
【００３１】
また、１人の操作者が複数の媒体で認証できてしまうことを避けるために、専用ＩＤと汎用ＩＤとの関連付けが有効化になった後は、関連付けられた専用ＩＤでは、操作者の認証を行うことができないようにすることも可能である。
【００３２】
尚、本実施の形態では、操作端末１０の警備情報等を監視センタ２０に送る場合で説明したが、監視センタ２０は必須ではなく、操作端末１０だけの警備システムにも適用可能である。
【産業上の利用可能性】
【００３３】
以上のように、本発明によれば、操作端末での操作を減らし、操作者による認証のための準備作業が軽減される警備システム及び警備システムにおけるＩＤ登録管理方法を提供することができる。
【符号の説明】
【００３４】
１・・・・・警備システム
４・・・・・汎用カード
６・・・・・専用カード
８・・・・・情報端末
１０・・・・操作端末
１２・・・・ＣＰＵ
１４・・・・メモリ
１６・・・・操作部
１８・・・・ＩＤ読取部
２０・・・・監視センタ
【図１】
0006602131.tif 000002
【図２】
0006602131.tif 000003
【図３】
0006602131.tif 000004
【図４】
0006602131.tif 000005